(57)【要約】      （修正有）【課題】ＩＣタグにおいて、データの改竄等を防止しセキュリティーを高める。【解決手段】ＩＣタグは、切り離し可能なＡ１、Ａ２部分と非切り離し部分Ｂ（タグ本体）との３つの部分から構成されている。部分Ａ１、Ａ２、及びＢは、それぞれＩＣ１、ＩＣ２、及びＩＣ３と、タグと外部装置とのインタフェースとしての、アンテナ１、アンテナ２、及びアンテナ３を備えている。ＩＣ１とＩＣ２とは信号伝送用の信号線路Ｌ１により、ＩＣ２とＩＣ３とは信号伝送用の信号線路Ｌ２により、それぞれ繋がれている。Ａ１がタグ本体から切り離された場合に、信号線路Ｌ１も切断されるように配線され、同様に信号線路Ｌ２も、Ａ２がタグ本体から切り離された場合、切断されるようなレイアウトで配線されている。切り離し可能部分を、Ａ１からＡ２へと順番に切り離す毎に、Ａ１又はＡ２の切り離しを検知してタグの機能が第１の機能から第３の機能まで順次変化する。【選択図】図１
2006119752.tif 000002
【特許請求の範囲】
【請求項１】
Ａ１からＡｎまでのｎ（ｎは、ｎ≧１の自然数）箇所の切り離し可能部分と、前記Ａ１からＡｎまでの切り離し可能部分以外の部分Ｂと、から構成され、前記切り離し可能部分Ａｋ（ｋは、１≦ｋ≦ｎの自然数）に、それぞれタグＩＣｋが設けられているＩＣタグであって、
前記Ｂの部分に設けられるタグＩＣｎ＋１と、
前記ＩＣｋと前記ＩＣｋ＋１とを電気的に結合するとともに、前記Ａｋが切り離された場合にその電気的な信号接続が切断される信号線路Ｌｋと、を備え、
前記切り離し可能部分Ａｋを、Ａ１からＡｎへと順番に切り離す毎に、Ａｋの切り離しを検知してタグの機能が第１の機能から第ｎ＋１まで順次変化するＩＣタグ。
【請求項２】
前記ＩＣｋが、それぞれ第ｋの機能を有しており、
前記ＩＣｎ＋１が、第ｎ＋１の機能を有していることを特徴とする請求項１記載のＩＣタグ。
【請求項３】
前記ＩＣｋと、前記ＩＣｋ＋１からＩＣｎ＋１までのうち少なくとも１つが、第ｋの機能を実現するための機能分担を行うことを特徴とする請求項１又は２に記載のＩＣタグ。
【請求項４】
前記ＩＣｋと前記ＩＣｋ＋１とが、前記第ｋの機能を実現するための機能分担を行うことを特徴とする請求項３に記載のＩＣタグ。
【請求項５】
少なくともＩＣｋを含むＩＣ１からＩＣｋまでのＩＣのいずれかが、タグ全体としての第ｋ＋１の機能の発現を抑制する機能を備えていることを特徴とする請求項１から４までのいずれか１項に記載のＩＣタグ。
【請求項６】
各切り離し可能部分Ａｋにそれぞれ設けられる記憶装置Ｍｋと、
前記Ｂの部分に設けられる記憶装置Ｍｎ＋１と、を備え、
該記憶装置Ｍｋが、前記第１から第ｋまでの機能に基づいて得られたデータのうちの少なくともその1つを格納する記憶領域を備えていることを特徴とする請求項１から５までのいずれか１項に記載のＩＣタグ。
【請求項７】
前記記憶装置Ｍｋが、第ｋの機能に基づいて得られたデータを格納する記憶領域を備えていることを特徴とする請求項６に記載のＩＣタグ。
【請求項８】
前記記憶装置Ｍｋ＋１が、前記第１から第ｋまでの機能に基づいて得られたデータを格納する領域を備えたことを特徴とする請求項６又は７に記載のＩＣタグ。
【請求項９】
前記ＩＣは、外部との通信を行う通信部と、該通信部の制御を行う制御部と、を有していることを特徴とする請求項１から８までのいずれか１項に記載のＩＣタグ。
【請求項１０】
前記ＩＣｋ＋１からＩＣｎ＋１は、前記Ａｋが切り離された場合に、前記記憶装置Ｍｋ＋１からＭｎ＋１の前記第ｋの機能で得られたデータを格納する領域を読み取り専用とする読み取り専用化回路を備えたことを特徴とする請求項６から８までのいずれか１項に記載のＩＣタグ。
【請求項１１】
タグ本体から切り離されたＡｋ部分が、外部との通信機能を維持することで単独のＩＣタグとして機能することを特徴とする請求項６又は７に記載のＩＣタグ。
【請求項１２】
前記Ａｋ部分に、前記線路Ｌｋの切断を検出するＬｋ切断検出装置と、
前記信号線路Ｌｋの切断の有無の検出結果を、前記Ａｋの切り離し判定に用いるＡｋ切り離し判定装置と、を備えていることを特徴とする請求項１１に記載のＩＣタグ。
【請求項１３】
前記Ａｋ切り離し判定装置が、Ａｋがタグ本体から切り離されたと判定した場合に、少なくとも、記憶装置Ｍｋの第１から第ｋの機能で得られたデータに割り当てられたデータ格納領域を読み取り専用とする装置を備えたことを特徴とする請求項１２に記載のＩＣタグ。
【請求項１４】
前記Ａｋ部分のＬｋ切断検出装置が、ＩＣｋ＋１からの信号の有無を元に、信号線路Ｌｋの切り離しを検出すること特徴とする請求項１３に記載のＩＣタグ。
【請求項１５】
前記ＡｋとＡｋ＋１の２つ領域に跨り、Ａｋ部分がタグから切り離された場合に切断される線路の、インピーダンスの変化を検出するインピーダンス変化検出装置を備え、
前記Ｌｋ切断検出装置と、インピーダンス変化検出装置との検出結果に基づいて、Ａｋの切り離しを判定するＡｋ切り離し検出装置を有する請求項１３に記載のＩＣタグ。
【請求項１６】
前記切り離し可能部分Ａｋ＋１に、
前記信号線路Ｌｋによる信号接続の切断を検出するＬｋ切断検出装置と、
信号線路Ｌｋの切断の有無の検出結果を、前記Ａｋの切り離し判定に用いるＡｋ切り離し判定装置と、
を備え、
前記Ａｋ＋１部分のＬｋ切断検出装置が、ＩＣｋからの信号の有無に基づいて、信号線路Ｌｋの切り離しを判定することを特徴とする請求項１に記載のＩＣタグ。
【請求項１７】
前記Ａｋ＋１部分に、
前記ＡｋとＡｋ＋１の２つ領域に跨り、Ａｋ部分がタグから切り離された場合に切断される線路の、インピーダンスの変化を検出するインピーダンス変化検出装置を備え、
前記Ａｋ切り離し判定装置は、前記Ｌｋ切断検出装置と、インピーダンス変化検出装置と、の検出結果を用いて、Ａｋの切り離しを判定することを特徴とする請求項１６記載のＩＣタグ。
【発明の詳細な説明】
【技術分野】
【０００１】
本発明は、ＩＣタグに関し、特に、タグの一部に切り離しによる機能変更手段を備えたＩＣタグに関する。
【背景技術】
【０００２】
最近、商品流通・在庫管理、店舗での精算処理及び盗難防止などを目的とし、紙やプラスチック等の絶縁体上に、アンテナとＩＣチップとを備えたＩＣタグと、ＩＣタグと通信を行うリーダー／ライター装置とにより構成された、例えば図８に示すシステムが注目を集めている。
【０００３】
かかるシステムにおいて使用される代表的なＩＣタグの構成例としては、図８に示すように、リーダー／ライター装置２５０とＩＣタグ２００とを有するのが一般的である。図８に示すシステムでは、リーダー／ライター装置２５０とＩＣタグ２００との通信に電波を使用し、図示しないＲＦ部と、変調／復調部と、データ記憶部と、を備えたＩＣ２０（２１０）とアンテナ２０１とで構成された非接触型のＩＣタグ（ＲＦＩＣタグ）が提案されている（例えば特許文献１参照）。
【０００４】
図９は、一般的なＩＣタグの構成例を示す斜視図である。図９に示すように、ＩＣタグは、紙やプラスチック等の絶縁体基板９０の上に、コイルアンテナ２０１とＩＣチップ２１０とを積層した構造を有して構成されたＲＦＩＣタグである。このような簡単な構造を有するため、上記のような種々の応用が可能である。
【０００５】
【特許文献１】特開平９−６２９３４号公報
【発明の開示】
【発明が解決しようとする課題】
【０００６】
商品等に貼付するものであるというタグの性質上、上記背景技術で説明したＲＦＩＣタグに代表されるＩＣタグは、小型軽量であることが求められる。この為、ＩＣタグに搭載されるＩＣの回路構成は、単純な構成を有することが好ましく、追加の構成を必要とするデータ改竄防止用のハードウェアやソフトウェアをＩＣタグに搭載することは難しかった。そのため、従来のＩＣタグは、簡単な構造であるがゆえにデータの改竄等が容易であるという問題点を有していた。
【０００７】
本発明は、ＩＣタグにおいて、データの改竄等を防止しセキュリティーを高めることを目的とする。
【課題を解決するための手段】
【０００８】
本発明は、ＩＣタグに切り離し可能な部分を設け、この切り離し可能部分をタグ本体から切り離すことにより、ＩＣタグに対するデータ入力及びＩＣタグからのデータ出力に対する制限を変化させる構成を有している。これによりデータの改竄を防止することができる。ＩＣタグで行なう信号処理を変更或いは格納データの自動的な更新、変更等、ＩＣタグの機能の変更を、リーダー／ライター装置を用いず、商品の流通過程において例えば人の手等により自然に変更できるようにする。ＩＣタグの外観上の変化と、ＩＣタグの機能変化と、を連動させることにより、現在のＩＣタグの機能がいかなる状態にあるかに関して目視で把握できる。
【発明の効果】
【０００９】
本発明のＩＣタグによれば、切り離し可能部分を切り離すことで、従来の単機能型のＩＣタグとは異なり、機械を使わないＩＣタグの機能変更を容易に実現できるという利点がある。また、切り離し可能部分を切り離すことで、ＩＣタグの外観を変化させ、ＩＣタグの状態をリーダー／ライター装置を使わずに目視により把握することができる。
【００１０】
さらに、タグの切り離し状態に応じて、タグの機能変更やデータの入出力を制限できるため、データの改竄に対するセキュリティを向上できる。
【００１１】
また、タグの機能を複数のＩＣに分担させることにより、規定の順番に従って切り離し可能部分を切り離した場合にのみ適切な機能変化が生るようにすることで、セキュリティを向上させることができる。さらに、本体から切り離した切り離し可能部分を、独立したＩＣタグとして使用することができる、等の効果を得ることができる。
【発明を実施するための最良の形態】
【００１２】
以下に図面を参照しつつ、本発明の実施の形態によるＩＣタグ及びその関連技術について説明を行う。図１は、タグ本体からの切り離し可能部分の数ｎが、ｎ＝２の場合の切り離し可能部分を切り離すことにより機能が変化するＩＣタグの一構成例を示す図である。図１に示すＩＣタグは、切り離し可能なＡ１、Ａ２部分と非切り離し部分Ｂ（タグ本体）との３つの部分から構成されている。部分Ａ１、Ａ２、及びＢは、それぞれＩＣ１、ＩＣ２、及びＩＣ３と、タグと外部（タグとの間でデータのやり取りを行うリーダー／ライター装置）のインタフェースとしての、アンテナ１、アンテナ２、及びアンテナ３を備えている。
【００１３】
そしてＩＣ１（１０）とＩＣ２（２０）とは、ＩＣ１（１０）とＩＣ２（２０）間の信号伝送用の信号線路Ｌ１により、ＩＣ２（２０）とＩＣ３（３０）とは、ＩＣ２（２０）とＩＣ３（３０）間の信号伝送用の信号線路Ｌ２により、それぞれ繋がれている。Ａ１がタグ本体から切り離された場合に、信号線路Ｌ１も切断されるように配線され、同様に信号線路Ｌ２も、Ａ２がタグ本体から切り離された場合、切断されるようなレイアウトで配線されている。
【００１４】
尚、ＩＣ１、ＩＣ２、及びＩＣ３から、共通ＧＮＤに接続されている線路ＳＬ１２、ＳＬ２１はＡ１部分がタグ本体から切り離された場合に、線路ＳＬ２３、ＳＬ３２はＡ２部分がタグ本体から切り離された場合に、それぞれ切断されるように、Ａ１とＡ２の切り離し境界線、或いはＡ２とＢの切り離しのための境界線に跨るようにレイアウトされて配線されている。線路ＳＬ１２、ＳＬ２１、ＳＬ２３、及びＳＬ３２は、線路切断によって発生する線路のインピーダンスの変化を検出し、Ａ１部分、或いはＡ２部分の切り離し判定に用いるために設けられた切り離し判定用線路である。
【００１５】
図２は、図１に示すＩＣタグの立体構造を示す斜視図である。図２に示すように、本実施の形態によるＩＣタグは、紙、プラスチック等の絶縁体基板９０上に設けられている。絶縁体基板９０の一辺に沿って共通ＧＮＤ線９１が設けられており、この共通ＧＮＤ線９１は、ＩＣ１、２、３を接地するとともに、線路ＳＬ１２、ＳＬ２１、ＳＬ２３、ＳＬ３２も接地する。
【００１６】
図３は、ＩＣ１（１０）の構成例を示すブロック図である。図３に示すように、ＩＣ１（１０）は、アンテナ１からの受信信号の一部を電力に変換する電源回路１１と、タグの外部インタフェースであるアンテナ１に対して信号の受信・送信を行なう送受信回路１２と、エンコードされたデータを変調する変調回路１３と、受信信号を復調する復調回路１４と、送信データのエンコード、及び受信データのデコードを行なうエンコード／デコード回路１５と、エンコード／デコード回路１５、或いは信号線Ｌ１を介して送られてきたデータの処理を行なうデータ処理回路１（１６）及び記憶装置１（１８）と、データ処理回路１（１６）及び記憶装置１（１８）の動作をタグの状態に応じて制御する制御回路１（１７）と、部分Ａ１が部分Ａ２から切り離されたか否かを、部分Ａ１自身が判定するＡ１切り離し判定回路２（１９）と、を有している。電源回路１１は共通電源線に接続され、データ処理回路１（１６）はＩＣ１（１０）とＩＣ２（２０）とを結ぶ線路Ｌ１に接続され、Ａ１切り離し判定回路２（１９）は、線路ＳＬ１２と接続されている。
【００１７】
図４は、ＩＣ２（２０）の構成例を示す図である。図４に示すように、ＩＣ２（２０）は、受信信号の一部を、電力に変換する電源回路１１と、タグの外部インタフェースであるアンテナ２に対して信号の受信・送信を行なう送受信回路１２と、エンコードされたデータを変調する変調回路１３と、受信信号を復調する復調回路１４と、データのエンコード及びデコードを行なうエンコード／デコード回路１５と、データの処理を行なうデータ処理回路２（２１）と、記憶装置２（２３）と、データ処理回路２（２１）と記憶装置２（２３）との動作を、タグの状態に応じて制御する制御回路２（２２）と、部分Ａ１が部分Ａ２から切り離されたか否かを、部分Ａ２が判定する「Ａ１切り離し判定回路１」（２４）と、部分Ａ２が部分Ｂから切り離されたか否かを、部分Ａ２自身が判定する「Ａ２切り離し判定回路２」（２５）と、を有している。
【００１８】
図５は、ＩＣ３（３０）の構成例を示す機能ブロック図である。図５に示すように、ＩＣ３（３０）は、受信信号の一部を、電力に変換する電源回路３（１１）と、タグの外部インタフェースであるアンテナ３に対して信号の受信・送信を行なう送受信回路１２と、エンコードされたデータを変調する変調回路１３と、受信信号を復調する復調回路１４と、データのエンコード及びデコードを行なうエンコード／デコード回路１５と、データの処理を行なうデータ処理回路３（３１）と、記憶装置３（３３）と、データ処理回路３（３１）と記憶装置３（３３）との動作を、タグの状態に応じて制御する制御回路３（３２）と、部分Ａ２が部分Ｂから切り離されたか否かを、部分Ｂが判定する「Ａ２切り離し判定回路１」３４と、を有している。
【００１９】
図６ａは、ＩＣ２（４０）のＡ１切り離し判定回路１（２４）の構成例を示す機能ブロック図である。図６ａに示すように、Ａ１切り離し判定回路１（２４）は、信号線路Ｌ１の切り離し判定回路１（４０）と、線路ＳＬ２１のインピーダンスの変化を検出するインピーダンス変化検出回路１（５０）とから構成されている。表１ａから表１ｄまでは切り離し判定表である。
【００２０】
【表１ａ】
2006119752.tif 000003
【００２１】
【表１ｂ】
2006119752.tif 000004
【００２２】
【表１ｃ】
2006119752.tif 000005
【００２３】
【表１ｄ】
2006119752.tif 000006
【００２４】
信号線路Ｌ１の切り離し判定回路１（４０）は、ＩＣ１（１０）から信号線Ｌ１を介して送られた識別用データと、照合用データ４２との照合を行い、表１ａに示すように信号線Ｌ１を介してＩＣ１から送られた識別用データと照合用データ４２とが一致した場合は、「０」を出力し、識別用データと照合用データ４２とが一致しなかった場合は、「１」を出力する。
【００２５】
同様に線路ＳＬ２１のインピーダンスの変化を検出する「インピーダンス変化検出回路１」５０は、線路ＳＬ２１が、共通ＧＮＤに接地された状態にあるか否かを検出し、表１ａに示すように、線路ＳＬ２１が共通ＧＮＤに接地された状態では「０」を出力し、線路ＳＬ２１が切断され開放状態となった場合には「１」を出力するように構成されている。
そして、Ａ１切り離し判定回路１（２４）は、表１ａに示すように「信号線路Ｌ１の切り離し判定回路１」の出力と、「インピーダンス変化検出回路１」の出力と、の論理積を算出し、この論理積が「１」となった場合に、Ａ１がタグから切り離されたと判定する。
【００２６】
尚、信号線路Ｌ１の切り離し判定は、ＩＣ１（１０）とＩＣ２（２０）とに予め記憶させておいたデータを、それぞれ識別用データと照合用データとして照合する方式を採用しても良いし、ＩＣ２（２０）から信号線路Ｌ１を介して任意の照合用データをＩＣ１（１０）へ送信し、ＩＣ１（１０）が受信した任意の照合用データを識別用データとして返信し、これを「信号線路Ｌ１の切り離し判定回路１」４０において照合する方式を採用しても良い。
【００２７】
また、前記Ｌ１切り離し判定回路１（４０）の動作説明においては、「信号線路Ｌ１の切り離し判定回路１」４０の出力と、「インピーダンス変化検出回路１」５０の出力との論理積をＡＮＤ回路５４により算出し、論理積が「１」となった場合に、Ａ１がタグから切り離されたとものと判断しているが、判定方法はこれに限定されるものではない。例えば、「信号線路Ｌ１の切り離し判定回路１」４０の出力と、「インピーダンス変化検出回路１」５０の出力との論理和が「１」となった場合、すなわち信号線路Ｌ１、或いは線路ＳＬ２１のいずれか１つが切断された場合に、部分Ａ１がタグ本体から切り離されたと判定する方式を採用してもよい。この場合にはＡＮＤ回路５４の代わりにＯＲ回路を用いる。
【００２８】
尚、図６ａの線路ＳＬ２１のインピーダンス変化検出装置５０を例に、インピーダンス変化検出装置の動作を説明すると、以下のようになる。ＡＮＤ回路５３においては、２つの入力が共通化されている。Ａ１が切り離し線１で切り離される前には線路ＳＬ２１が切断されておらず、ＡＮＤ回路５３の２つの入力は、ＧＮＤの電位となっている。このため、ＡＮＤ回路５３の２入力は“Ｌｏｗ”となり、ＡＮＤ回路５３の出力は“０”となる。一方、Ａ１が切り離し線１で切り離されると線路ＳＬ２１も切断されるため、ＡＮＤ回路５３の２入力の電位は、Ｒ２×Ｖｃｃ/（Ｒ１＋Ｒ２）の“Ｈｉ”となり、ＡＮＤ回路５３出力は “１”となる。このようにして、インピーダンス変化検出装置５０は、Ａ１が切り離し線１で切り離されることによる、ＳＬ２１のインピーダンスの変化を検出することができる。
【００２９】
Ａ１切り離し判定回路１（２４）以外の残る３つの切り離し判定回路の構成を、図６ｂ、図６ｃ、及び図６ｄに示すとともに、各切り離し判定回路の切り離し判定表を表１ｂ、表１ｃ、及び表１ｄに示す。尚、上記３つの切り離し判定回路の構成、及び動作原理は、基本的に上述したＡ１切り離し判定回路１と同じであるため、ここでは説明を省略する。
【００３０】
図７ａ、図７ｂ、及び図７ｃは、記憶装置１（１８）、記憶装置２（２３）、及び記憶装置３（３３）の構成例を示す機能ブロック図である。
【００３１】
図７ａに示すように、記憶装置１（１８）は、データ処理回路１（１６）からの記憶領域１（６４）および書き込み制御回路６１、読み出し制御回路６２、読み取り専用化回路６３を有している。書き込み制御回路６１は、制御装置１からの書き込み要求の制御データに基づいて、ＩＣタグの持つ第１の機能の動作に基づくデータ処理回路１（１６）からの書き込みデータを記憶領域１（６４）に記録する。読み出し専用化回路６２は、制御回路１（１７）からの読み取り専用化要求の制御データに基づいて、記憶領域１（６４）へデータの書き込みを妨げる。これによってデータの書き込みを行うことができなくなり、記憶領域１（６４）は読み取り専用となる。読み出し制御回路６２は、制御装置１（１７）からの読み出し要求の制御データに基づいて、記録領域１（６４）に記録されているデータをデータ処理装置３（３１）へと送り出す。
【００３２】
図７ｂは、ＩＣ２の記憶装置２の構成を示す図である。図７ｂに示すように、記憶装置２（２３）は、記憶装置１（１８）と同様に構成されており、記憶領域２（６５）に対して第２の機能の動作に基づく記録の書き込み処理および読み出し処理、読み取り専用化処理を行う。
【００３３】
図７ｃは、ＩＣ３の記憶装置３（３３）の構成例を示す図である。図７ｃに示すように、記憶装置３（３３）は、書き込み処理および読み出し処理、読み取り専用化処理については記憶装置１（１８）と同様の処理を行う。但し、記憶装置３（３３）は、第３の機能の動作に基づくデータを記録する記憶領域３（６６）に加えて、ＩＣ１およびＩＣ２がそれぞれ司る第１の機能および第２の機能の動作を記録するための、記憶領域１（６４）および記憶領域２（６５）から構成されている。
【００３４】
図１に示すＩＣタグに関して、以下のように流通過程に沿って処理を行う。１）部分Ａ１、部分Ａ２、及び部分Ｂが全て揃っている状態で、タグに製品識別コード、製造番号、製造年月日、出荷日時等のデータの入力し（記憶装置に記憶させ）、製品に添付する。２）工場出荷時点でタグから部分Ａ１を切り離し、販売店へ出荷する。ここで、切り離された部分Ａ１は、出荷元控えとして残す。３）販売店において、販売日時、販売店名等のデータを入力する。その上で、部分Ａ２を切り離し、部分Ｂだけとなったタグの付いた製品を購入者へ渡す。この際、切り離された部分Ａ２は、販売店控えとして残す。４）製品と共に購入者へ渡された部分Ｂだけのタグは、購入者控えとなる。このような商品の流通管理に本実施の形態によるタグを利用した場合タグの状態変化と、それに伴うタグの機能変化との対応関係の一例を表２に示す。
【００３５】
【表２】
2006119752.tif 000007
【００３６】
尚、表２では、第１の機能を実現する制御の全てをＩＣ１（１０）が、第２の機能を実現する制御の全てをＩＣ２（２０）が、それぞれ司っている。
【００３７】
すなわち、工場出荷時においては、ＩＣ１（１０）は、タグ外との通信制御、ＩＣ２（２０）、ＩＣ３（３０）との通信、記憶装置１から３までの記憶領域１のアドレスを指定、記憶装置１から３までの記憶領域１へのデータ１の書き込み命令の送出、記憶装置１の記憶領域１へのデータ１の書き込み、読み出しを含む機能を有しており、これにより、製品識別コード、製造番号、製造年月日、出荷日時等のデータ（データ１）の入出力を行う第１の機能を発揮する。ＩＣ２（２０）は、ＩＣ１、ＩＣ３との通信、ＩＣ３（３０）の記憶装置３へ記憶領域１以外への書き込み禁止命令の送出、記憶装置２の記憶領域１へのデータ１の書き込みを含む機能を有している。ＩＣ３（３０）は、ＩＣ１（１０）、ＩＣ２（２０）との通信、記憶装置３の記憶領域１へのデータ１の書き込みを含む機能を有している。
【００３８】
販売店では、部分Ａ１は切り離されており、ＩＣ２（２０）は、タグ外との通信制御、ＩＣ３（３０）との通信、記憶装置２と３の記憶領域２のアドレスを指定、記憶装置２の記憶領域２へのデータ２の書き込み、読み出し、記憶装置２の記憶領域１の読み出し専用化（リードオンリー）を含む機能を有しており、これにより、データ１の出力と、販売日時、販売店名等のデータ（データ２）の入出力とを含む第２の機能を発揮する。
【００３９】
ＩＣ３（３０）は、ＩＣ２（２０）との通信、記憶装置３の記憶領域１の読み出し専用化、記憶装置３の記憶領域２へのデータ２の書き込みを行う。
【００４０】
購入者（購入後）は、部分Ａ１，Ａ２は切り離されており、ＩＣ（３０）は、Ａ２切り離し済み、タグ外との通信制御、記憶装置３の記憶領域１と２の読み出し専用化（リードオンリー）、記憶装置３の記憶領域３に対するデータ３の書き込み、読み出し、を含む機能を有しており、データ１及びデータ２の出力と、  購入者によるメモ等の任意のデータ（データ３）の入出力とを含む第３の機能を発揮する。
【００４１】
読み出し専用化を行うのは、それぞれのＩＣタグにおいて、ある領域が切り離された後は、切り離されたタグが担っていた機能の一部（そのタグに専用の記憶領域への情報の書き込み等）ができないようにするのが好ましいからである。
【００４２】
【表３】
2006119752.tif 000008
【００４３】
これに対して、表３のように第1の機能を実現する制御機能の一部をＩＣ１（１０）とＩＣ２（２０）とが、第２の機能を実現する制御機能の一部をＩＣ２（２０）とＩＣ３（３０）とが、それぞれ分担するようにしてもよい。また、第３の機能である記憶装置３の記憶領域３へのデータの書き込みを、ＩＣ２が阻害するようにしても良い。
【００４４】
すなわち、工場出荷時においては、ＩＣ１（１０）は、タグ外との通信制御、ＩＣ２、ＩＣ３との通信、記憶装置１から3の記憶領域１へのデータ１の書き込み命令の送出、記憶装置１の記憶領域１へのデータ１の書き込み、読み出しを行い、ＩＣ２（２０）は、ＩＣ１、ＩＣ３との通信、記憶装置１から３の記憶領域１のアドレスを指定、ＩＣ３の記憶装置３へ記憶領域１以外への書き込み禁止命令の送出、記憶装置２の記憶領域１へのデータ１の書き込みを行う。表２の場合と比較すると明らかなように、ＩＣ１（１０）の一部の機能（第１の機能）をＩＣ２（２０）に分担させている。
【００４５】
表３のように１つの機能を実現するための機能を複数のＩＣに分散した場合、ＩＣを含むタグを切り離す順序を無視して切り離すと、タグが正常に動作しないため、使い物にならず、不正使用を抑制できるという効果がある。
【００４６】
【表４】
2006119752.tif 000009
【００４７】
表４に図１のＩＣタグを前記の流通管理に適用した場合の、本発明のタグの状態変化と、それに伴うタグの機能変化の対応関係、及び前記記憶装置１から３の各記憶領域に格納された情報と、各記憶領域の状態の関係を示す。表４に示すように、例えば、記憶領域１の格納データに関して、工場においては（出荷前）、製品識別コード、製造番号、製造年月日、出荷日時等のデータに関するデータの書き込み、読み出しが可能であるのに対して、販売店（工場出荷時から販売前まで）においては、製品識別コード、製造番号、製造年月日、出荷日時等のデータに関して、データの読み出しのみ可になっている。このように流通過程におけるタグの状態変化に応じて、記憶装置１から３の各記憶領域に格納された情報への書き込みが制限されるため、情報の改竄に対する耐性が向上する。
【００４８】
【表５】
2006119752.tif 000010
【００４９】
表５は、図１のＩＣタグを流通管理に適用した場合の、タグ本体から切り離された後のＡ１、Ａ２のＩＣタグとしての機能を示す。部分Ａ１、Ａ２は、外部インタフェースと、電源回路を独立して備えているため、表５に示すように、部分Ａ１、Ａ２は、ＩＣタグとしての機能を備え、データの管理が容易となる。すなわち、切り離し後のタグ（Ａ１）は、外との通信制御、記憶装置１の記憶領域１の読み出し専用化、記憶装置１の記憶領域１からのデータ１の読み出し、を行うことができる。切り離し後のタグ（Ａ２）は、タグ（Ａ２）外との通信制御、記憶装置２の記憶領域１、及び２の読み出し専用化、記憶装置２の記憶領域１及び２からのデータ１及び２の読み出しを行うことができる。切り離し後のタグ（Ａ３）は、タグ（Ｂ）外との通信制御、記憶装置３の記憶領域１と２の読み出し専用化、記憶装置３の記憶領域３に対するデータ３の書き込み、読み出しを行うことができる。
【００５０】
尚、上記実施例においては、タグと外部との情報のやり取りを、電波に代表される無線を用いて行う非接触型のタグを例にして説明したが、情報のやりとりを行う媒体は電波に限定されるものではなく、磁気を用いても良い。また、非接触型に限定されるものではなく、接触型のタグを用いてもよい。
【００５１】
また、上記実施例においては、Ａｋが切り離された場合は信号線路Ｌｋが物理的に切断される例を挙げて説明した。しかしながら、Ａｋが切り離されることによって、ＩＣｋとＩＣｋ＋１の間の電気な信号接続が切断されることが本質であり、信号線路が切断されることが本質ではない。従って、信号線路Ｌｋの構成はタグの切り離し線を跨いでいる構成に限定されるものではなく、例えば、切り離し線を間の近傍において対向する線路パターン間を、誘導性結合或いは容量性結合を用いて、ＩＣｋとＩＣｋ＋１との間の電気な信号接続が行われており、タグを切り離すことでこの結合が弱まる或いはなくなるように構成しても良い。
【００５２】
また、タグの切り離しにより線路を切断する代わりに、タグの部分Ａと部分Ｂとが一部領域で重なっており、この重なりを分離することで電気的接続がなくなるように構成しても良い。この場合には、重なり部分を粘着性のテープなどを貼り付けておき、適宜、はがすことができるようにしても良い。
【００５３】
以上、本実施の形態によるタグを用いると、従来の単機能型のＩＣタグとは異なり、機械的な手段を用いないＩＣタグの機能変更を容易に実現することができる。この際、切り離し可能な部分を切り離すことによりＩＣタグの外観を変化させ、ＲＦＩＣタグの状態を、リーダー／ライター装置を使わずに目視により簡単に把握できる。
【００５４】
また、タグの切り離し状態に応じて、タグの機能変更やデータの入出力を制限できるため、データの改竄に対するセキュリティを向上させることができる。さらに、タグの機能を複数のＩＣに分担させることにより、切り離し可能部分を順番に従って切り離さない場合には適切な機能変化が生じないようにすることができ、規則に従ってタグを正規に切り離す処理をするようにさせることで、タグを用いたシステムにおけるセキュリティを向上させることができる。また、切り離しを行った後の切り離し可能部分を、独立したＩＣタグとして使用することができる等の従来のＩＣタグとは異なる優れた効果を得ることができる。
【産業上の利用可能性】
【００５５】
本発明は、タグを用いた流通システムに適用することができる。
【図面の簡単な説明】
【００５６】
【図１】タグ本体からの切り離し可能部分の数ｎが、ｎ＝２の本出願発明の前提となるＩＣタグの構成図。
【図２】図１のＩＣタグの構造を示す斜視図。
【図３】ＩＣ１の構成例を示す機能ブロック図である。
【図４】ＩＣ２の構成例を示す機能ブロック図である。
【図５】ＩＣ３の構成例を示す機能ブロック図である。
【図６ａ】Ａ１切り離し判定回路１の構成例を示す機能ブロック図である。
【図６ｂ】Ａ１切り離し判定回路２の構成例を示す機能ブロック図である。
【図６ｃ】Ａ２切り離し判定回路１の構成例を示す機能ブロック図である。
【図６ｄ】Ａ２切り離し判定回路２の構成例を示す機能ブロック図である。
【図７ａ】記憶装置１の構成例を示す機能ブロック図である。
【図７ｂ】記憶装置２の構成例を示す機能ブロック図である。
【図７ｃ】記憶装置３の構成例を示す機能ブロック図である。
【図８】従来のＩＣタグを用いた管理システムの構成例を示す図である。
【図９】従来のＩＣタグの構造を示す斜視図である。
【符号の説明】
【００５７】
Ａ１、Ａ２…ＩＣタグのうち、切り離し可能な部分、Ｂ…非切り離し部分（タグ本体）、１、２、３…アンテナ、１０…ＩＣ１、２０…ＩＣ２、３０…ＩＣ３、Ｌ１、Ｌ２…信号線路。
【図１】
2006119752.tif 000011
【図２】
2006119752.tif 000012
【図３】
2006119752.tif 000013
【図４】
2006119752.tif 000014
【図５】
2006119752.tif 000015
【図６ａ】
2006119752.tif 000016
【図６ｂ】
2006119752.tif 000017
【図６ｃ】
2006119752.tif 000018
【図６ｄ】
2006119752.tif 000019
【図７ａ】
2006119752.tif 000020
【図７ｂ】
2006119752.tif 000021
【図７ｃ】
2006119752.tif 000022
【図８】
2006119752.tif 000023
【図９】
2006119752.tif 000024